(57)【要約】  本発明の目的は皮膚改善剤を含有する美容シートを顔に付着する時、密着棒に巻き取られている美容シートを展開しながら顔に付着されるようにして、迅速かつ容易にシートを付着することができるマスクパックキットを提供することにある。この目的を達成するために、本発明は密着棒、及び顔に対応する形態や面積を有し、前記密着棒に巻き取られて包装され、使用の際に前記密着棒の回転により展開されながら、顔に付着される美容シートを含むマスクパックキットを提供する。【選択図】図４
2019531123.tif 000002
【特許請求の範囲】
【請求項１】
密着棒；及び
顔に対応する形態や面積を有し、前記密着棒に巻き取られて包装され、使用の際に前記密着棒の回転により展開されながら、顔に付着される美容シート；を含むことを特徴とするマスクパックキット。
【請求項２】
前記密着棒は、ハンドル部と、前記ハンドル部から延びる棒本体と、から構成されることを特徴とする請求項１に記載のマスクパックキット。
【請求項３】
前記ハンドル部はその外周縁に形成されて、顔、手などの身体に接触してマッサージ機能を提供する複数の突起を有することを特徴とする請求項２に記載のマスクパックキット。
【請求項４】
前記棒本体の外周縁に回転自在に設けられるローラーチューブをさらに含むことを特徴とする請求項２に記載のマスクパックキット。
【請求項５】
前記棒本体はハンドル部内に回転自在に設けられることを特徴とする請求項２に記載のマスクパックキット。
【請求項６】
前記美容シートは１つまたは２つの密着棒上で、前記美容シートの外側から内側に向かって巻き取られることを特徴とする請求項１に記載のマスクパックキット。
【発明の詳細な説明】
【技術分野】
【０００１】
本発明はマスクパックキットに関するもので、より詳細には美容目的で使用するマスクパックにおいて、マスクパックの美容シートに含浸されている機能性物質の皮膚への密着力を高め、機能性物質が手に付くことを防止することができるマスクパックキットに関するものである。
【背景技術】
【０００２】
一般的に、美容シートは不織布上に天然抽出物、タンパク質、ビタミンなどの栄養物質を含有するエッセンス剤を含めて製造され、美白、しわ改善、水分供給、皮膚トラブルの緩和、皮膚への弾力性の付与、抗菌などの機能を有する。しかし、従来の美容シートは不織布をベースに製造されるため、皮膚と接触する界面で十分な密着が行われない。そのため、エッセンス剤の有効成分を皮膚の深いところまで十分に伝えることができない。これを解決するために、過量のエッセンス剤を添加して皮膚との接着力や付着力を向上させてきた。
【０００３】
しかし、従来の美容シートは過量の皮膚改善剤を含むため、シートを皮膚に付着するためにユーザがパウチを開封した時、美容シートから皮膚改善剤が流れ落ちる不便さがある。さらに、美容シートを顔に付着する際にも、皮膚改善剤が手に付くため、これを処理しなければならず、使用上の不便をもたらすか、または面倒な感じを与える。
【０００４】
また、美容シートを皮膚に付着した状態で、時間が経つにつれて、付着力が低下してシートが皮膚から離れるため、ユーザは手などでシートを再び押圧する場合が多い。この場合にも、皮膚改善剤が手に付いて不便であり、特に、サウナ室のような多くの人々がいる公共の場では処理上困難な点がある。
【０００５】
なお、従来のマスクパックを包装する方法として、円形の美容シートを３回または４回折り畳んでパウチに入れる方式を使用するため、包装にも多くの時間や費用がかかる。使用時にも美容シートを顔に付けるために円形に折り畳まれている美容シートを展開しなければならない。この過程で、多くの時間がかかると共に、薄い美容シートが破れてしまう恐れがある。または、美容シートが完全に展開されていない状態で顔に付けると、シートを手でいちいち展開しなければならない短所がある。
【先行技術文献】
【特許文献】
【０００６】
【特許文献１】韓国特許登録第１０−１６０９６７４号公報（公告日２０１６年４月６日）
【発明の概要】
【発明が解決しようとする課題】
【０００７】
前述したような従来の問題点を解決するためになされた本発明は、機能性物質を含有する美容シートを顔に付着する時、密着棒に巻き取られている美容シートを展開しながら顔に付着されるようにして、迅速かつ容易にシートを付着することができるマスクパックキットを提供することにその目的がある。
【０００８】
本発明の他の目的は密着棒を用いて顔に美容シートを付着することによって、シートの破れが防止され、機能性物質が手に付くこともなく、汚染を防止することができるマスクパックキットを提供することにある。
【０００９】
本発明の他の目的は美容シートの包装時間が短縮されて、生産性が向上することができるマスクパックキットを提供することにある。
【課題を解決するための手段】
【００１０】
前述した技術的課題を達成するための技術的手段として、本発明のマスクパックキットは、密着棒；及び顔に対応する形態や面積を有し、前記密着棒に巻き取られて包装され、使用の際に前記密着棒の回転により展開されながら、顔に付着される美容シート；を含むことを特徴とする。
【００１１】
本発明の実施形態によれば、前記密着棒は、ハンドル部と、前記ハンドル部から延びる棒本体と、から構成されることができる。
【００１２】
本発明の実施形態によれば、前記ハンドル部はその外周縁に形成されて、顔、手などの身体に接触してマッサージ機能を提供する複数の突起を有することができる。
【００１３】
本発明の実施形態によれば、前記棒本体の外周縁に回転自在に設けられるローラーチューブをさらに含むことができ、あるいは、前記棒本体はハンドル部内に回転自在に設けられることができる。
【００１４】
本発明の実施形態によれば、 前記美容シートは１つまたは２つの密着棒上で、前記美容シートの外側から内側に向かって巻き取られることを特徴とする。
【発明の効果】
【００１５】
本発明に係るマスクパックキットによれば、皮膚改善剤を含有する美容シートを顔に付着する時、密着棒に巻き取られている美容シートを展開しながら顔に付着されるようにして、迅速かつ容易にシートを付着することができる。
【００１６】
また、本発明では密着棒を用いて顔に美容シートを付着することによって、シートの破れが防止され、手に付くこともなく、汚染を防止することができる。
【００１７】
さらに、美容シートの包装時間が短縮されて、生産性が向上することができる。
【図面の簡単な説明】
【００１８】
【図１】本発明の一実施形態に係るマスクパックキットを製造する過程を順に示す平面図である。
【図２】本発明の一実施形態に係るマスクパックキットの密着棒を示す断面図である。
【図３】本発明の他の実施形態に係るマスクパックキットの密着棒を示す分解斜視図である。
【図４】本発明の一実施形態に係るマスクパックキットを使用する状態を正面から見て示す図である。
【図５】本発明の密着棒を使用する一例を側面から見て示す図である。
【発明を実施するための形態】
【００１９】
以下、添付図面を参照して本発明の実施形態について本発明が属する技術分野で通常の知識を有する者が容易に実施することができるように詳しく説明する。しかしながら、本発明は多様な異なる形態で実現することができ、ここで説明する実施形態に限定されない。図面において、本発明を明確に説明するために、説明上不要な部分は省略し、明細書全体を通して同一または類似する構成要素については同一の参照符号を付した。
【００２０】
本発明の明細書全体で、ある部分がある構成要素を「含む」という時、これは特に反対の記載がない限り、他の構成要素を除くのではなく、他の構成要素をさらに含むことができることを意味する。
【００２１】
図１は本発明の一実施形態に係るマスクパックキットを製造する過程を順に示す平面図であり、図２は本発明の一実施形態に係るマスクパックキットの密着棒を示す断面図であり、図３は本発明の他の実施形態に係るマスクパックキットの密着棒を示す分解斜視図であり、図４は本発明の一実施形態に係るマスクパックキットを使用する状態を正面から見て示す図であり、図５は本発明の密着棒を使用する一例を側面から見て示す図である。
【００２２】
本発明に係るマスクパックキットは、図１に示すように、顔に密着して付着されて機能性物質により保湿、美白、老化防止効果を提供することができる美容シート１００と、一定の距離で互いに離隔した状態で美容シート１００が巻き取られた後、それと一緒に巻き取られる密着棒２００を含む。美容シートを使用する際に、ユーザは密着棒２００に巻き取られている美容シート１００を展開しながら顔に付着することになる。
【００２３】
まず、美容シート１００は顔に対応する形態や面積を有するものであって、好ましくは、ポリウレタンフィルムやリリースフィルム、綿、不織布、韓紙で製造される。顔に付着する時、目や口に対応する位置の部分は穿孔することができ、鼻に対応する部分は一部分だけを切開して形成することができる。
【００２４】
そして、美容シート１００は継続的に皮膚に栄養分を供給することができ、保湿、美白、老化防止の機能性物質を含むことができる。好ましくは、美容シート１００は透明であったり、または皮膚色のトーンを有することができる。
【００２５】
なお、皮膚色のトーンは色のトーンが多様であるので、ユーザの好みに応じて選択が可能である。
【００２６】
ここで、機能性物質は、好ましくは、コラーゲン、アロエエキス、ビタミン、香料、アデノシン、レチノール、トコフェロール、ポリフェノール、カルノシン、ユビキノン、ファイトエストロゲン、イソフラボン、グルコペプチド、セラミド、アルブチンのうち少なくとも１つを含む。
【００２７】
そして、密着棒２００は図２と図３を参照して説明する。
【００２８】
密着棒２００は全体的に垂直の「１」字状になっており、合成樹脂材で製作されることができる。
【００２９】
このような密着棒２００は好ましく美容シート１００の長さよりも大きく製作され、ハンドル部２１０と、このハンドル部２１０から延びる棒本体２２０と、から構成されることができる。
【００３０】
ハンドル部２１０は棒本体２２０より相対的に広い直径を有し、把持が容易に楕円の形状で作られる。
【００３１】
このハンドル部２１０は一例として、外周縁に沿って突出形成される複数の突起２１２を有することができる。従って、美容シート１００を顔に当てて擦ると、このような突起によって美容シート１００の密着力を高めると共に、マッサージ機能を効率良く行うことができる。
【００３２】
さらに、複数の突起を有する棒本体を顔に当てて擦ることで、美容シート１００を顔から取り外した後も、皮膚への美容シート１００の機能性物質の浸透を助けることができる。
【００３３】
このようなハンドル部２１０と棒本体２２０は金型を用いて一体に製作することができる。また、図２に示すように、棒本体２２０の外周に回転自在に設けられるローラーチューブ２３０をさらに含むことができる。
【００３４】
そして、図３に示すように、棒本体２２０はハンドル部２１０の内部に回転自在に設けられて、独自の回転が可能である。
【００３５】
即ち、ハンドル部２１０は内部に形成された係止片２１４を有し、棒本体２２０は係止片に対応する位置で下端に形成された係止溝２２２を有している。組立時、係止片が係止溝に係合されて、棒本体の離脱が防止された状態で、棒本体が回転自在に設けられることができる。
【００３６】
密着棒２００は最初の包装段階から美容シート１００が巻き取られながら包装が行われる。この時、一つの密着棒２００が美容シート１００の一側端から内側方向に巻き取られるか、または２つの密着棒２００が美容シート１００の両側端から対向した状態で中心に向かって巻き取られることができる。
【００３７】
美容シート１００の巻取りが完了すると、両密着棒２００は美容シート１００と一緒に並んで近接して位置する。
【００３８】
ここで、密着棒２００は美容シート１００の顔における頬の部分に対応する両側段から巻き取られる。しかし、場合によっては、下部における顔の顎部分と上部における額部分から巻き取られた後、使用時に展開させることもできる。
【００３９】
なお、最初の密着棒２００が巻き取られ始まる美容シート１００の両端には密着棒２００が離脱することを防止するために、図面に示されなかったが、接着剤や美容シート１００に形成されるリングなどの固定手段を備えることもできる。
【００４０】
以上のような構成を有する本発明に係るマスクパックキットを顔に付着して使用する過程を図４と図５を参照して説明する。
【００４１】
まず、前述したように製作されたマスクパックキットは個々に包装され、使用時に包装を開けて開封すると、密着棒２００に美容シート１００が巻き付けられている状態にある。
【００４２】
従って、２つの密着棒２００を有する場合に、ユーザは包装紙を除去した後、両手でそれぞれの密着棒２００のハンドル部２１０を握って、顔の中央、即ち、鼻部分から顔の両耳側を向くようにハンドル部２１０を回転させる。そうすると、ハンドル部２１０の移動に応じて巻き取られていた美容シート１００も中央から順に展開されながら、顔に自然に密着される。この時、棒本体２２０またはローラーチューブ２３０によって両頬を包むように顔に圧力が加えられながら、美容シートは高い密着力で顔に付着することができる。
【００４３】
美容シート１００が顔全体面積に亘って付着されると、少しの力を与えて密着棒２００を美容シートに接着された接着剤などの固定手段から分離するようになる。
【００４４】
美容シート１００が完全に顔に付着した後、密着棒２００のハンドル部２１０を用いて棒本体を顔に当てて擦るように回転させる。その結果、マッサージ機能はもちろん、美容シート１００の機能性物質が皮膚に深く浸透して保湿、美白、老化防止効果を十分に提供することができる。
【００４５】
なお、美容シート１００が顔から除去された後も、 密着棒２００の外周に形成された複数の突起２１２によってハンドル部２１０を用いて密着棒をユーザの顔だけでなく、手や足などに当てて擦ってマッサージ機能を行うことができる。
【００４６】
従って、前述したように、本発明によれば、皮膚改善剤を含有する美容シートを顔に付着する時、密着棒に巻き取られている美容シートを展開しながら顔に付着されるようにして、迅速かつ容易にシートを付着することができる。また、シートの破れが防止され、機能性物質が手に付くこともなく、汚染を防止することができる。
【産業上の利用可能性】
【００４７】
また、美容シートをいちいち折り畳む必要もなく密着棒２００を用いて巻き取った後、すぐに包装が可能であるので、包装時間が短縮されて生産性が向上することができる。
【００４８】
以上で説明したような本発明は前述した実施形態に限定されないので、請求範囲で請求する本発明の要旨を逸脱しない範囲内で変更可能であり、そのような変更は記載された請求範囲内に属する。
【符号の説明】
【００４９】
１００  美容シート
２００  密着棒
２１０  ハンドル部
２１２  突起
２１４  係止片
２２０  棒本体
２２２  係止溝
２３０  ローラーチューブ
序列リスト  フリーテキスト
無し
【図１】
2019531123.tif 000003
【図２】
2019531123.tif 000004
【図３】
2019531123.tif 000005
【図４】
2019531123.tif 000006
【図５】
2019531123.tif 000007
【国際調査報告】
2019531123.tif 000008
2019531123.tif 000009
2019531123.tif 000010
2019531123.tif 000011